Podtech/llm-jp-corpus-v4-ja_patent huggingface dataset:
(57)【要約】【課題】軸受引抜き構造を有しながら、軸受強度を充分に確保できるようにした円すいころ軸受を提供することにある。【解決手段】外輪と、内輪と、前記外輪と前記内輪とを互いに相対回転させるとともに回転中心軸が軸受の回転中心軸に対して傾斜している複数の転動体と、小径円環と大径円環とを複数の柱で連結し、前記小径円環と前記大径円環と前記柱とで区画された複数のポケットに前記複数の転動体を収容して、各転動体を等間隔に保持する保持器とを備えた円すいころ軸受であって、前記ポケットの前記大径円環または小径円環の面の少なくとも一方に係合溝を備えた。これにより、軸受引抜き構造を有しながら、軸受の転動面及び鍔部の強度を充分に確保することが可能となる。【選択図】図１
2016017623.tif 000002
【特許請求の範囲】
【請求項１】
内周面に転動面を備えた外輪と、転動面と前記転動面を挟んで一対の鍔部とで外周面を形成した内輪と、前記外輪と前記内輪の両転動面上にあって前記外輪と前記内輪とを互いに相対回転させるとともに回転中心軸が軸受の回転中心軸に対して傾斜している複数の転動体と、小径円環と大径円環とを複数の柱で連結し、前記小径円環と前記大径円環と前記柱とで区画された複数のポケットに前記複数の転動体を収容して各転動体を等間隔に保持する保持器とを備えた円すいころ軸受であって、前記ポケットの前記大径円環または小径円環の面の少なくとも一方に係合溝を備えたことを特徴とする円すいころ軸受。
【発明の詳細な説明】
【技術分野】
【０００１】
本発明は、圧延機のロールネックなどに用いる円すいころ軸受に関する。
【背景技術】
【０００２】
従来から、圧延機のロールネック軸などに組込まれている円すいころ軸受は、ロールネック等の機器の分解点検及び再組立て作業が可能となるように、軸受の転動輪に軸受引抜き用或いは軸受釣り上げ用の螺子穴を設けている（例えば、特許文献１）。そして、前記螺子穴に例えばIボルト等を羅合するとともに、図示しない駆動源により、かかるIボルトの目玉部分にワイヤー等を掛け回して軸受を引抜いたり吊り上げたりしている。
【先行技術文献】
【特許文献】
【０００３】
【特許文献１】特開２００６−３２２５４７号公報
【発明の概要】
【発明が解決しようとする課題】
【０００４】
しかしながら、特許文献１のような構造を軸受に採用すると、転動体の転動面近傍の鍔部に螺子穴が設けられるため、転動面や鍔部の強度低下を誘引し、軸受の繰り返し高負荷入力による変形によって軸受の摺動抵抗が増加する虞があった。
【０００５】
本発明は、上述の問題に鑑み、軸受引抜き構造を有しながら、軸受強度を充分に確保できるようにした円すいころ軸受を提供することを目的とする。
【課題を解決するための手段】
【０００６】
本発明は、内周面に転動面を備えた外輪と、転動面と前記転動面を挟んで一対の鍔部とで外周面を形成した内輪と、前記外輪と前記内輪の両転動面上にあって前記外輪と前記内輪とを互いに相対回転させるとともに回転中心軸が軸受の回転中心軸に対して傾斜している複数の転動体と、小径円環と大径円環とを複数の柱で連結し、前記小径円環と前記大径円環と前記柱とで区画された複数のポケットに前記複数の転動体を収容して各転動体を等間隔に保持する保持器とを備えた円すいころ軸受であって、前記ポケットの前記大径円環または小径円環の面の少なくとも一方に係合溝を備えたことを特徴とする。
【発明の効果】
【０００７】
この円すいころ軸受により、軸受引抜き構造を有しながら、軸受の転動面及び鍔部の強度を充分に確保することが可能となる。
【図面の簡単な説明】
【０００８】
【図１】本発明の実施形態に係る転がり軸受の断面図である。
【図２】本発明の実施形態に係る転がり軸受の断面図である。
【図３】本発明に係る保持器の拡大図である。
【図４】従来の転がり軸受の断面図である。
【発明を実施するための形態】
【０００９】
以下、本発明の実施形態につき、図面を参照しつつ詳細に説明する。
【００１０】
図１は、本発明の第１の実施形態に係る円すいころ軸受を示す断面図である。軸受１は、内周面に転動面２ａを備えた外輪２と、転動面３ａ及び転動面を挟んで配置された一対の鍔部３ｂとで外周面を形成した内輪３と、前記外輪と前記内輪の両転動面上にあって前記外輪と前記内輪とを互いに相対回転させる複数の転動体４とを備えている。前記転動体はその回転軸が軸受回転軸方向に対して傾斜するように配置され、前記内輪と前記外輪の各転動面も軸受回転軸方向に対して傾斜してそれぞれ内輪外周面、外輪内周面として形成されている。前記一対の鍔部のうち、内輪肉厚が薄い方を小鍔であり、内輪肉厚が厚い方を大鍔と称している。
【００１１】
また、前記複数の転動体４は保持器５によって互いに等間隔に軸受内に保持されている。前記保持器５は、小径円環５ａと大径円環５ｂとを複数の柱５ｃで連結して構成されている。前記小径円環５ａと前記大径円環５ｂと前記柱５ｃとでポケット５ｄが複数形成されており、前記複数のポケット内に転動体４が収容されている。また、前記ポケット５ｄを成す前記大径円環の面または、小径円環の面の少なくとも一方には、係合溝５ｅが設けられており、前記係合溝５ｅに対して一部図示しない軸受引き抜き用治具Ｔを引っ掛けることにより、軸受全体を装置から引抜くことが出来る。これにより強度が要求される内輪及び外輪の引き抜き部として利用を排除できるので、軸受引き抜き作業時の転動面や鍔部への負荷を低減できる効果を奏する。
【００１２】
以上、本発明の実施例について説明したが、実施例における構成要素には、当業者が容易に想定できるもの、実質的に同一のもの、いわゆる均等の範囲のものが含まれる。また、実施例の要旨を逸脱しない範囲で構成要素の種々の省略、置換又は変更を行うこともできる。
【符号の説明】
【００１３】
１  軸受
２  外輪
３  内輪
４  転動体
５  保持器
５ｅ  係合溝
【図１】
2016017623.tif 000003
【図２】
2016017623.tif 000004
【図３】
2016017623.tif 000005
【図４】
2016017623.tif 000006
(57)【要約】      （修正有）【課題】ライターにおいて、安価な子供がいたずらできないライターを提供する。【解決手段】炎を噴出するノズル部０１１と、燃料の開閉を制御する燃料制御部と、燃料の開閉を行うためのボタン０１２と、１個以上のダイヤル０１３とを少なくとも備えるライターであって、前記ボタンは前記ダイヤルが特定の設定である場合のみ押下可能となるようにする。【選択図】図１
2016017735.tif 000002
【特許請求の範囲】
【請求項１】
炎を噴出するノズル部と、燃料の開閉を制御する燃料制御部と、燃料の開閉を行うためのボタンと、１以上のダイヤルとを少なくとも備えるライターであって、前記ボタンは前記ダイヤルが特定の設定である場合のみ押下することが可能であることを特徴とするライター。
【請求項２】
炎を噴出するノズル部と、燃料の開閉を制御する燃料制御部と、燃料の開閉と着火操作を行うためのボタンと、着火を行う圧電素子と、１以上のダイヤルスイッチとを少なくとも備えるライターであって、前記圧電素子の電圧は前記ダイヤルスイッチがある特定の設定の時だけ前記ノズル部へ伝わることを特徴とするライター。
【発明の詳細な説明】
【技術分野】
【０００１】本発明は、ライターに関する。
【背景技術】
【０００２】従来のライターは一般的には子供のいたずらに関して対策がとられていなかった。
【先行技術文献】
【特許文献】
【０００３】
【特許文献１】特許出願２０１１−２２９６９４
【発明の概要】
【発明が解決しようとする課題】
【０００４】  従来のライターは一般的には子供のいたずらに関して対策がとられていなかった。また対策をとる場合でも、特許文献１のように複雑な構成を必要とし、コストアップに繋がった。【０００５】  本発明の目的は、安価な子供のいたずら対策を備えたライターを提供することである。
【課題を解決するための手段】
【０００６】  上記目的を達成するために、
請求項１にかかる発明は、炎を噴出するノズル部と、燃料の開閉を制御する燃料制御部と、燃料の開閉を行うためのボタンと、１個以上のダイヤルとを少なくとも備えるライターであって、前記ボタンは前記ダイヤルが特定の設定である場合のみ押下することが可能であることを特徴とする。【０００７】  請求項２にかかる発明は、炎を噴出するノズル部と、燃料の開閉を制御する燃料制御部と、燃料の開閉と着火操作を行うためのボタンと、着火を行う圧電素子と、１個以上のダイヤルスイッチとを少なくとも備えるライターであって、前記圧電素子の電圧は前記ダイヤルスイッチがある特定の設定の時だけ前記ノズル部に伝わることを特徴とする。
【発明の効果】
【０００８】  請求項１にかかる発明によれば、ボタンを押下できるダイヤルの設定を知らなければ、着火することができない。これにより子供のいたずらを防止することができる。【０００９】  請求項２にかかる発明によれば、ダイヤルスイッチが導通する設定を知らなければ、着火することができない。これにより子供のいたずらを防止することができる。
【図面の簡単な説明】
【００１０】
【図１】本発明の第１の実施例の正面図である。
【図２】本発明の第１の実施例のブロック図である。
【図３】本発明の第２の実施例の正面図である。
【図４】本発明の第２の実施例のブロック図である。
【発明を実施するための形態】
【００１１】＜第１の実施例＞
図１、図２に本発明の第１の実施例のライターの構成を示す。０１１はノズル、０１２はボタン、０１３はダイヤル、０１４は開閉制御器、０１５は燃料容器である。ノズル０１１は開閉制御器０１４の出口に接続される。開閉制御器０１４の入口は燃料容器０１５に接続される。ボタン０１２は開閉制御器０１４に接続される。ボタン０１２はダイヤル０１３に接続される。ボタン０１２はダイヤル０１３が特定の設定の時のみ押下することができる。
【００１２】  本ライターはボタン０１２を押下できるダイヤル０１３の特定の設定を知らなければ、着火することができない。これにより子供のいたずらを防止することができる。
【００１３】＜第２の実施例＞
図３、図４に本発明の第２の実施例のライターの構成を示す。０２１はノズル、０２２はボタン、０２３はダイヤルスイッチ、０２４は開閉制御器、０２５は燃料容器、０２６は圧電素子である。
ノズル０２１は開閉制御器０２４の出口に接続される。開閉制御器０２４の入口は燃料容器０２５に接続される。ノズル０２１の火花端子にはダイヤルスイッチ０２３の一端が接続される。ダイヤルスイッチ０２３の別の一端には圧電素子０２６が接続される。ボタン０２２は圧電素子０２６と開閉制御器０２４に接続される。ダイヤルスイッチ０２３はダイヤルが特定の設定の時のみ導通する。
【００１４】  本ライターはダイヤルスイッチ０２３が導通する特定の設定を知らなければ、着火することができない。これにより子供のいたずらを防止することができる。
【符号の説明】
【００１５】０１１：ノズル、０１２：ボタン、０１３：ダイヤル、０１４：開閉制御器、０１５：燃料容器
０２１：ノズル、０２２：ボタン、０２３：ダイヤルスイッチ、０２４：開閉制御器、０２５：燃料容器、０２６：圧電素子
【図１】
2016017735.tif 000003
【図２】
2016017735.tif 000004
【図３】
2016017735.tif 000005
【図４】
2016017735.tif 000006
(57)【要約】【課題】システム全体の高さを抑える。【解決手段】空調機１０１から空気が送り込まれるチャンバ本体部１１と、チャンバ本体部１１に設けられ、主ダクト１０４が接続される複数の筒部１２と、筒部１２に設けられ、チャンバ本体部１１から主ダクト１０４へ送り込まれる空気の流量を調整するダンパ部１３とを備えた。【選択図】図１
2016017703.tif 000002
【特許請求の範囲】
【請求項１】
空調機の直上に設置されるサプライチャンバにおいて、
前記空調機から空気が送り込まれるチャンバ本体部と、
前記チャンバ本体部に設けられ、主ダクトが接続される複数の筒部と、
前記筒部に設けられ、前記チャンバ本体部から前記主ダクトへ送り込まれる空気の流量を調整するダンパ部と
を備えたことを特徴とするサプライチャンバ。
【請求項２】
前記ダンパ部は、前記筒部の直径周りに回動可能な羽根部を備えた
ことを特徴とする請求項１記載のサプライチャンバ。
【発明の詳細な説明】
【技術分野】
【０００１】
この発明は、空調機の直上に設置されるサプライチャンバに関するものである。
【背景技術】
【０００２】
床置式の空調システムでは、図２に示すように、空調機１０１からの空気（冷風又は温風）がサプライチャンバ１０２に送り込まれ、ダンパ１０３を介して複数系統の主ダクト１０４に分岐される。そして、主ダクト１０４に分岐された空気は分岐チャンバ１０５に送り込まれ、複数系統の分岐ダクト１０６に分岐されて各居住空間に供給される（例えば特許文献１参照）。
【０００３】
この空調システムの組み立てでは、まず、図３（ａ）に示すように、空調機１０１の上面に設けられた開口部１０１１に対して、サプライチャンバ１０２の底面に設けられた開口部１０２１を合わせて上から差し込む。次いで、図３（ｂ）に示すように、サプライチャンバ１０２の上面に設けられた複数の開口部１０２２に対して、それぞれダンパ１０３を取り付けて、タッピングネジで固定する。そして、ダンパ１０３上に主ダクト１０４を接続する。
【先行技術文献】
【特許文献】
【０００４】
【特許文献１】特開平６−２２９５８８号公報
【発明の概要】
【発明が解決しようとする課題】
【０００５】
上述したように、床置式の空調システムでは、空調機１０１の直上にサプライチャンバ１０２が設置され、さらにその上にダンパ１０３が設置される。一方、この空調機１０１が設置される部屋（機械室）には、高さに制限がある。また、ダンパ１０３に接続された主ダクト１０４は、ダンパ１０３の軸方向に対して直角方向に曲げる場合がある。この場合、システム全体の高さが高いと、曲げた主ダクト１０４と部屋の天井とが干渉し、ダクト潰れに伴う風量や結露等の不具合を引き起こす恐れがある。よって、システム全体の高さを抑えることが必須であるという課題があった。
【０００６】
この発明は、上記のような課題を解決するためになされたもので、システム全体の高さを抑えることができるサプライチャンバを提供することを目的としている。
【課題を解決するための手段】
【０００７】
この発明に係るサプライチャンバは、空調機から空気が送り込まれるチャンバ本体部と、チャンバ本体部に設けられ、主ダクトが接続される複数の筒部と、筒部に設けられ、チャンバ本体部から主ダクトへ送り込まれる空気の流量を調整するダンパ部とを備えたものである。
【発明の効果】
【０００８】
この発明によれば、上記のように構成したので、サプライチャンバとダンパとを一体化することでシステム全体の高さを抑えることができる。
【図面の簡単な説明】
【０００９】
【図１】この発明の実施の形態１に係るサプライチャンバの構成を示す斜視図である。
【図２】従来の床置式の空調システムの構成を示す模式図である。
【図３】従来の床置式の空調システムの組み立てを説明する斜視図である。
【発明を実施するための形態】
【００１０】
以下、この発明の実施の形態について図面を参照しながら詳細に説明する。
実施の形態１．
図１はこの発明の実施の形態１に係るサプライチャンバ１の構成を示す図である。
サプライチャンバ１は、床置式の空調システムに用いられるものであり、空調機１０１の直上に設置される。このサプライチャンバ１には、図１に示すように、中空の箱型形状に構成されたチャンバ本体部１１が設けられている。このチャンバ本体部１１の底面には、空調機１０１の上部に設けられた開口部１０１１に差し込まれる開口部（不図示）が設けられており、空調機１０１からの空気（冷風又は温風）がチャンバ本体部１１内に送り込まれる。
【００１１】
また、チャンバ本体部１１の上面には、主ダクト１０４が接続される筒部１２が複数設けられている。なお図１の例では、主ダクト１０４が２系統の場合を想定して、筒部１２が２つ設けられた場合を示している。
【００１２】
また、筒部１２には、チャンバ本体部１１から主ダクト１０４へ送り込まれる空気の流量を調整するダンパ部１３が設けられている。このダンパ部１３は、円板部材からなり、筒部１２の直径周りに回動可能な羽根部１３１を備えている。そして、この羽根部１３１により、筒部１２を全閉とすることで主ダクト１０４側への空気を遮断し、筒部１２を全開とすることで主ダクト１０４側へ最大流量で空気を送り込むことができる。なお、ダンパ部１３には、羽根部１３１を回動するための電源（不図示）が取り付けられてもよい。
【００１３】
このように、サプライチャンバ１にダンパ部１３を追加することで、図２，３に示す従来のサプライチャンバ１０２とダンパ１０３とを接続するために必要であった接合シロ及び余分な部品（サプライチャンバ１０２の開口部１０２２とダンパ１０３が同径（呼び径が同じ）の場合と呼び径自体が異なる場合に用いられるニップル等）を削除することができる。そのため、システム全体を小型化することができ、高さを抑制することができる。
【００１４】
以上のように、この実施の形態１によれば、チャンバ本体部１１に設けられ、主ダクト１０４が接続される複数の筒部１２と、筒部１２に設けられ、チャンバ本体部１１から主ダクト１０４へ送り込まれる空気の流量を調整するダンパ部１３とを備えるように構成したので、システム全体の高さを抑えることができる。その結果、サプライチャンバ１に接続された主ダクト１０４と部屋の天井とが干渉することがなくなり、ダクト潰れを回避でき、風量や結露等の不具合を回避することができる。
【００１５】
なお、本願発明はその発明の範囲内において、実施の形態の任意の構成要素の変形、もしくは実施の形態の任意の構成要素の省略が可能である。
【符号の説明】
【００１６】
１  サプライチャンバ
１１  チャンバ本体部
１２  筒部
１３  ダンパ部
１０１  空調機
１０２  サプライチャンバ
１０３  ダンパ
１０４  主ダクト
１０５  分岐チャンバ
１０６  分岐ダクト
１３１  羽根部
１０１１，１０２１，１０２２  開口部
【図１】
2016017703.tif 000003
【図２】
2016017703.tif 000004
【図３】
2016017703.tif 000005
(57)【要約】【課題】水平ナックルが形成された菱形金網の端部が、断面形状がコ字状をなす胴縁から抜け出ることを確実に防止することができる菱形金網用端部構造を提供する。【解決手段】支柱間に断面形状がコ字状をなす胴縁２を介して固定される、水平ナックルが形成された菱形金網１の端部構造において、隣接する水平ナックルの端部が挿入される短管３と、短管３と菱形金網１の端部とに挿通される通し線４とからなり、通し線４が通された菱形金網１の端部が短管３と共に胴縁２内に挿入される。【選択図】図１
2016017386.tif 000002
【特許請求の範囲】
【請求項１】
支柱間に断面形状がコ字状をなす胴縁を介して固定される、水平ナックルが形成された菱形金網の端部構造において、
隣接する水平ナックルの端部が挿入される短管と、前記短管と前記菱形金網の端部とに挿通される通し線とからなり、前記通し線が通された前記菱形金網の端部が前記短管と共に前記胴縁内に挿入されることを特徴とする菱形金網用端部構造。
【請求項２】
前記短管は、金属製円管からなっていることを特徴とする、請求項１に記載の菱形金網用端部構造。
【発明の詳細な説明】
【技術分野】
【０００１】
この発明は、菱形金網用端部構造、特に、支柱間に胴縁を介して張り渡される、水平ナックルが形成された菱形金網の端部構造に関するものである。
【背景技術】
【０００２】
菱形金網を使用した従来フェンスの一例を、図面を参照しながら説明する。
【０００３】
図３は、従来フェンスを示す平面図、図４は、従来フェンスを示す正面図、図５は、従来フェンスを示す側面図、図６は、菱形金網のカールナックルを示す正面図、図７は、胴縁を示す断面図である。
【０００４】
図３から図５に示すように、従来フェンスは、支柱１１間に上下胴縁１２を介して固定された菱形金網１３から構成されている。
【０００５】
菱形金網１３の上下端部は、図６に示すように、カールナックル１４が形成され、カールナックル１４が形成された菱形金網１３の上下端部は、図７に示すように、外側に傾斜した折り曲げ部１２ａを有する断面形状がコ字状をなす胴縁１２内に挿入されている。カールナックル１４が形成された菱形金網１３のリング状端部の径（Ｒ）（図６参照）は、胴縁１２の折り曲げ部１２ａ間の幅（Ｌ１）（図７参照）より大きいので、菱形金網１３の端部は、胴縁１２から抜け出ることはない。
【発明の概要】
【発明が解決しようとする課題】
【０００６】
上述したように、従来フェンスにおける菱形金網１３は、胴縁１２を介して支柱１１間に固定されるが、以下のような問題があった。
【０００７】
菱形金網１３の端部加工形状には、図６に示すように、カールナックル１４以外に、図８に示すように、水平ナックル５がある。
【０００８】
水平ナックルが形成された菱形金網１３の端部を、図７に示すような、外側に傾斜した折り曲げ部１２ａを有する断面形状がコ字状の胴縁１２内に挿入した場合、何らかの手段を講じないと、菱形金網１３の端部が胴縁１２から抜け出てしまう。
【０００９】
そこで、水平ナックル５が形成された菱形金網１３の端部が、断面形状がコ字状の胴縁１２から抜け出ない菱形金網用端部構造が望まれているが、このような端部構造は、まだ、提案されていない。
【００１０】
従って、この発明の目的は、水平ナックルが形成された菱形金網の端部が、断面形状がコ字状をなす胴縁から抜け出ることがない菱形金網用端部構造を提供することにある。
【課題を解決するための手段】
【００１１】
この発明は、上記目的を達成するためになされたものであり、下記を特徴とするものである。
【００１２】
請求項１に記載の発明は、支柱間に断面形状がコ字状をなす胴縁を介して固定される、水平ナックルが形成された菱形金網の端部構造において、隣接する水平ナックルの端部が挿入される短管と、前記短管と前記菱形金網の端部とに挿通される通し線とからなり、前記通し線が通された前記菱形金網の端部が前記短管と共に前記胴縁内に挿入されることに特徴を有するものである。
【００１３】
請求項２に記載の発明は、請求項１に記載の発明において、前記短管は、金属製円管からなっていることに特徴を有するものである。
【発明の効果】
【００１４】
この発明によれば、水平ナックルが形成された菱形金網の端部が、断面形状がコ字状をなす胴縁から抜け出ることを確実に防止することができる菱形金網用端部構造を提供することができる。
【図面の簡単な説明】
【００１５】
【図１】この発明の菱形金網用端部構造を示す部分正面図である。
【図２】図１のＡ−Ａ線拡大断面図である。
【図３】従来フェンスを示す平面図である。
【図４】従来フェンスを示す正面図である。
【図５】従来フェンスを示す側面図である。
【図６】菱形金網のカールナックルを示す正面図である。
【図７】胴縁を示す断面図である。
【図８】水平ナックルを示す正面図である。
【発明を実施するための形態】
【００１６】
この発明の菱形金網用端部構造の一実施態様を、図面を参照しながら説明する。
【００１７】
図１は、この発明の菱形金網用端部構造を示す部分正面図、図２は、図１のＡ−Ａ線断面図である。
【００１８】
図１および図２において、１は、支柱（図示せず）間に断面形状がコ字状をなす胴縁２を介して固定される菱形金網である。菱形金網１の上下端部（図１には、上端部のみ示されている。）は、図８に示すように、水平ナックル５が形成されている。胴縁２は、内側に垂直な折り曲げ部２ａが形成されている。折り曲げ部２ａは、図７に示すような、外側に傾斜した折り曲げ部であっても良い。
【００１９】
３は、隣接する水平ナックル５の端部が挿入される短管である。短管３は、金属製円管からなり、隣接する水平ナックル５の端部が挿入された後は、水平ナックル５から外れない程度の長さを有している。短管３の外径は、胴縁２内に挿入可能で、折り曲げ部２ａ間の幅（Ｌ２）より大きければ良い。
【００２０】
４は、短管３と菱形金網１の端部とに挿通される通し線（針金）である。通し線４は、菱形金網１の網目を縫うように菱形金網１の端部に挿通される。通し線４は、隣接する水平ナックル５間に挿入された短管３が水平ナックル５から外れるのを確実に防止する機能を有している。
【００２１】
この発明の菱形金網用端部構造によれば、隣接する水平ナックル５間に短管３を挿入した後、通し線４を菱形金網１の端部と短管３とに挿入し、通し線４が通された菱形金網１の端部を短管３と共に胴縁２内に挿入すれば（図２参照）、菱形金網１をその端部が胴縁２から抜け出ることなく胴縁２に確実に取り付けることができる。
【符号の説明】
【００２２】
１：菱形金網
２：胴縁
２ａ：折り曲げ部
３：短管
４：通し線
５：水平ナックル
１１：支柱
１２：胴縁
１２ａ：折り曲げ部
１３：菱形金網
１４：カールナックル
【図１】
2016017386.tif 000003
【図２】
2016017386.tif 000004
【図３】
2016017386.tif 000005
【図４】
2016017386.tif 000006
【図５】
2016017386.tif 000007
【図６】
2016017386.tif 000008
【図７】
2016017386.tif 000009
【図８】
2016017386.tif 000010
(57)【要約】【課題】発電のコストを低くするために、大小二つのはずみ車を利用した、電磁石式フライホイール発電機を提供する。【解決手段】油圧の力ではずみ車大（５）を油面に浮かせ、重力の抵抗を小さくしてから、電磁石（４）と磁石（６）の反発力と吸引力とを利用して、はずみ車大（５）を高回転させ、つまりはずみ車大（５）にエネルギーを蓄えさせ、その後、はずみ車大（５）を浮かせ状態から重力圏に戻して、発電機を回すというように、他からのエネルギーを一切必要としない、というところを電磁石式フライホイール発電機の特徴とする。【選択図】図１
2016017518.tif 000002
【特許請求の範囲】
【請求項１】
大小二つのはずみ車を高回転させ、その二つのエネルギーを交互に用いて発電機を回しつづけること。
【請求項２】
エネルギーを蓄えるためにはずみ車大（５）を高回転させるとき、重力の大きい抵抗が小さくなるようにはずみ車大（５）を油面に浮かせ状態にすること。
【発明の詳細な説明】
【技術分野】
【０００１】  この発明は、フライホイールの回転力をエネルギーとして電気を起す発電機に関するものである。
【背景技術】
【０００２】  従来、発電機は水力、風力、蒸気力、エンジン等で回転させていた。
【先行技術文献】
【０００３】
【特許文献１】
【非特許文献１】
【発明の概要】
【発明が解決しようとする課題】
【０００４】  これまでは次のような欠点があった。
（イ）ＣＯ２の排出があった。
（ロ）設置場所が限られていた。
（ハ）コストが高いこと。
本発明は、以上のような欠点をなくすためになされたものである。
【課題を解決するための手段】
【０００５】  オイルボックス（１５）を縦に貫いているはずみ車大の回転軸（８）に浮かし羽根（１６）を設け、その浮かし羽根（１６）の下部に油圧ポンプ（１１）でオイルを送入し、はずみ車大（５）を油面に浮かせ状態にする。はずみ車大（５）が浮かせ状態になるのと連動して、電磁石スイッチ（７）が「入る」になるよう装置しておく。電磁石（４）は電磁石取付け盤（３）の下辺に幾個かを円状に取付け、磁石（６）は、はずみ車大（５）の上辺に、電磁石に対応するよう取付けて置く。水に浮かべた船同様に動かし易くなったはずみ車大（５）を、電磁石（４）と磁石（６）との間に起きる反発力と吸引力とで高回転へと導く。次に排出弁（１９）を「開く」にして、オイルボックス（１５）内の油面を低くし、はずみ車大のフランジ（２１）とはずみ車小のフランジ（２２）とを接触させ、はずみ車小（２３）ともどもに発電機を回す。はずみ車大（５）の回転が中回転位に落ちて来たら、油圧ポンプの自動スイッチ（１２）を「入る」にし、オイルボックス（１５）にオイルを送入する。これを繰返して発電機を回しつづける。
本発明は、以上の構成よりなる電磁石式フライホイール発電機である。
【発明の効果】
【０００６】  はずみ車で発電機を回すので、外部からのエネルギーを必要としない。
またそのはずみ車にエネルギーを蓄えるために、はずみ車を高回転させるのには、先ずはずみ車大（５）を油圧の力で浮かせ状態にし、それから電磁石と磁石との反発力と吸引力とを用いるので、発電機の生産する電力のうちの何割かを消費するだけですむのである。
【図面の簡単な説明】
【０００７】
【図１】  本発明の正面図、兼断面図である。
【発明を実施するための形態】
【０００８】  以下、本発明を実施するための形態について説明する。
枠底に、回転軸が上へ向った発電機（２７）を据える。
発電機（２７）の上方に、はずみ車小（２３）を設ける。このはずみ車小（２３）の回転軸と発電機（２７）の回転軸とを一本の棒状に連結する。
横桟の一つにベアリング（２４）を設ける。はずみ車小の回転軸（２５）を固定させるためである。
横桟の一つに軸受け皿メダル（２６）を設ける。はずみ車小（２３）の重量が発電機（２７）の回転軸にかからないようにするためである。
はずみ車小（２３）の上方にははずみ車大（５）を設ける。はずみ車小（２３）とはずみ車大の回転軸（８）とが接触と離反を繰り返すことの出来るように、はずみ車小（２３）の上部、はずみ車大の回転軸（８）の下部それぞれにフランジを設ける。
メダル（２０）が取付けてある横桟の上にオイルボックス（１５）を設ける。これははずみ車大の回転軸（８）がオイルボックス（１５）の中央部を貫通するように設らえる。
配線上（２）に油圧ポンプのスイッチ（１２）を設ける。はずみ車大（５）の回転数が一定以下になると「入」となり、一定以上になると「切」になる連動スイッチである。
電磁石取付け盤（３）の下辺に電磁石を円状に並べ設らえる。
はずみ車大（５）の上辺に、磁石を円状に並べ設らえる。これは電磁石取付け盤の電磁石（４）と対応するように設らえるのである。
配線上に電流調整器（１）のスイッチを設ける。はずみ車大（５）が浮かせ状態の時に「入」になり、はずみ車大（５）が任意の回転に達したら「切」になる連動スイッチである。
本発明は以上のような構造である。
これを使用するときは、十分に充電したバッテリー（２８）を用い、運転開始時には油圧ポンプのスイッチ（１２）を手動で「入」にすればよい。
【符号の説明】
【０００９】１    電流調整器                          １９  排出弁
２    配線                                ２０  メダル
３    電磁石取付け盤                      ２１  はずみ車大のフランジ
４    電磁石                              ２２  はずみ車小のフランジ
５    はずみ車大                          ２３  はずみ車小
６    磁石                                ２４  ベアリング
７    電磁石のスイッチ                    ２５  はずみ車小の回転軸
８    はずみ車大の回転軸                  ２６  軸受け皿メダル
９    メダル                              ２７  発電機
１０  配線                                ２８  バッテリー
１１  油圧ポンプ                          ２９  配線
１２  油圧ポンプスイッチ                  ３０  配線
１３  オイル送入ホース
１４  オイル排出ホース
１５  オイルボックス
１６  浮かし羽根
１７  オイルタンク
１８  送入弁
【図１】
2016017518.tif 000003
(57)【要約】【課題】カードを取り出すのに指先が滑って取り出しが困難なとき、簡単に取り出すことが出来る、取り出し棒を提供する。【解決手段】取り出し棒（１）の端に円盤（２）を接着したものを特徴とする。【選択図】図１
2016013401.tif 000002
【特許請求の範囲】
【請求項１】
取り出し棒（１）の端に円盤（２）を接着したもの。
但し（１）の棒の形は丸以外に色々な形が考えられる。（２）の円盤の形も丸以外に色々考えられる。
【発明の詳細な説明】
【技術分野】
【０００１】この発明は折財布の中にカードを入れるポケットの部分のカードを取り出すのに関するものである。
【背景技術】
【０００２】従来カードを取り出すのに指先で取り出す以外になかった。
【先行技術文献】
【０００３】
【発明の概要】
【発明が解決しようとする課題】
【０００４】今までは１つのポケットに何枚もカードを押しこんである場合、取り出すのに指先が滑って困難だった。またポケットが何段にもなっている場合、特に指に当たる部分が狭いので困難だった。本発明は以上のような欠点を解決しようとするものである。
【課題を解決するための手段】
【０００５】（１）取り出し棒に（２）円盤を接着したもの。
発明は以上の構成によるカード取り出し棒である。
【発明の効果】
【０００６】このカード取り出し棒をカードと一緒に差しこんでおけば簡単に使う事が出来る。
【図面の簡単な説明】
【０００７】
【図１】本発明の斜視図である。
【図２】本発明の断面図である。
【発明を実施するための形態】
【０００８】以下本発明を実施するための形態について説明する。
取り出し棒（１）に（２）の円盤を接着したもの。
カードのポケットが何段にもなって、しかもカードが何枚も重ねて入れてある場合、カードを指先で取り出すのに指先が滑って取り出すのが困難なとき、カードの上に棒を差し込んでカードの奥の部分に棒の折れ曲がった部分を持って行き、円盤の部分を指でつかんで折れ曲がった部分の方へ捩じる。そうすると折れ曲がった部分がカードの端に引っかかるのでそのとき棒をカードと一緒に引き出すとカードを簡単に取り出すことが出来る。本発明は以上のような構造である。
【符号の説明】
【０００９】１  取り出し棒
２  円盤
【図１】
2016013401.tif 000003
【図２】
2016013401.tif 000004
【手続補正書】
【提出日】平成26年8月11日(2014.8.11)
【手続補正１】
【補正対象書類名】図面
【補正対象項目名】全図
【補正方法】変更
【補正の内容】
【図１】
2016013401.tif 000005
【図２】
2016013401.tif 000006
(57)【要約】【課題】夜の屋外等明るくない場所での自己表現方法を提供する【解決手段】ＬＥＤ発行体、コントロール装置、リチウムイオン電池を身に付け自分の好きなように発光させて楽しむ光るファッションです。【選択図】図１
2016013402.tif 000002
【特許請求の範囲】
【請求項１】
小さなＬＥＤ発行体、コントロール装置  リチウムイオン電池を組み合わせた光るファッションシステム。
【発明の詳細な説明】
【技術分野】
【０００１】  この発明は身につけるヘヤバンド、ネックレス  ジャケット等に小さなＬＥＤ発光体を多数取り付けハート型  アルファベット等いろいろなデザインで光らせて楽しむ光るファッションである。
【背景技術】
【０００２】従来宝石、ガラス玉等を使用していた為暗い場所では目立たなかった。
【発明の概要】
【０００３】これは次のような欠点があった。
高価で堅苦しいイメージがあった。
【課題を解決する為の手段】
【０００４】小さなＬＥＤ発光体、リチウムイオン電池  コントロールソフトを組み合わせた遊び心に満ちた光るファッションである
【発明の効果】
【０００５】男女、国を問わず楽しむ事ができる。
【図１】
2016013402.tif 000003
【手続補正書】
【提出日】平成26年9月8日(2014.9.8)
【手続補正１】
【補正対象書類名】明細書
【補正対象項目名】全文
【補正方法】変更
【補正の内容】
【発明の詳細な説明】
【技術分野】
【０００１】  この発明は身につけるヘヤバンド、ネックレス、ジャケット等に小さなＬＥＤ発光体を多数取り付けハート型、アルファベット等いろいろなデザインで光らせて楽しむ光るファッションである。
【背景技術】
【０００２】  従来  宝石、ガラス玉等を使用していた為暗い場所では目立たなかった。
【発明の概要】
【０００３】  これは次のような欠点があった。
高価で堅苦しいイメージがあった。
【課題を解決する為の手段】
【０００４】  小さなＬＥＤ発光体、リチウムイオン電池  コントロールソフトを組み合わせた遊び心に満ちた光るファッションである。
【発明の効果】
【０００５】  男女、国を問わず楽しむ事ができる。
【図面の簡単な説明】
【０００６】
【図１】  ヘヤバンド、イヤリング、ネックレス等光るファッションを身につけた図である。
(57)【要約】【課題】回転して生まれた電気で回転し電気をつくりだす永々回転発電気モーターを提供する。【解決手段】一度だけ外部の力で（２）を回転させあとは慣性の法則で回り続け回転して生まれた電気は蓄電池に貯めておきじょじょに回転速度がおちてきたら貯めておいた電気で所定の回転速度にもどす  それを永々的に返りかえすを特徴とする。【選択図】図１
2016013048.tif 000002
【特許請求の範囲】
【請求項１】
一度外部の力で発電機モーターを回転させます
すると、慣性の法則で回り続けます時間がたつにつれ回転速度がおちてきますが回転しているあいだ電気がうまれます。生まれ畜えた電気で回転が完全に止まる前に所定の回転速度にもどし永々的にくりかえしあまった電気を色々なことに使う
【発明の詳細な説明】
【技術分野】
【０００１】本発明は一度回転したら永々的に回り続け自らつくりだした電気で永々回転し電気を生みだす方法に関するものである。
【背景技術】
【０００２】従来  水力  火力  原子力などたとえば風力発電の場合は外部の力風がないと電気がつくれなかった
【発明の概要】
【発明が解決しようとする課題】
【０００３】これは次のような欠点があった従来原子力発電は安全面や公害や放射能廃棄物などさまざまな間題があった風力発電は風がないと電気をつくることができず困ることが多かった本発明は以上のような欠点をなくすためになされたものである。
【課題を解決するための手段】
【０００４】一度外部の力で（２）を回転させ電気が生まれますその電気を蓄電池に貯めておきます
回転速度がじょじょにおちてきたら貯めておいた電気で所定の回転速度にもどします
地球ゴマも自転車の車輪も一度回転運動をおこすとじょじょに回転速度がおちますがすぐには止まりません回転が完全に止まる前に回転して生まれた電気でふたたび所定の回転速度にもどしますそれを永々的にくりかえします
【発明の効果】
【０００５】一度外部の力で回転させればあとは回転してうまれた電気で永々的に回転し続け電気を生み続けるので安全面や公害などさまざまな間題があった原子力発電や風がないと電気がつくれなかった風力発電など本発明は電気を安全に供給出来る
【図面の簡単な説明】
【０００６】
【図１】本発明の斜視図である
【発明を実施するための形態】
【０００７】地球ゴマも自転車の車輪も一度外部の力で回転させると回ります
すぐには止まりません本発明はこの慣性の法則を利用して（２）を外部の力で回転させます回転している間は電気がつくられますその電気を蓄電池に貯めておき回転速度がじょじょにおちてきたら貯めておいた電気で所定の回転速度にもどします完全に止まってからだと使うエネルギーも大きく完全に回転が止まる前に回転速度を上げますそれを永々的にくりかえすことで電気を安定した量を供給できます
【符号の説明】
【０００８】１  磁石
２  コイル
【図１】
2016013048.tif 000003
(57)【要約】【課題】鳥類の飛来を防ぐことができる鳥類飛来防止機を提供する。【解決手段】ひも状体を繋着した竿状の棒を適所に設けて、駆動部で旋回させる鳥類飛来防止機。【選択図】図１
2016013118.tif 000002
【特許請求の範囲】
【請求項１】
ひも状体を繋着した竿状の棒を適所に設けて、駆動部で旋回させる鳥類飛来防止機。
【発明の詳細な説明】
【技術分野】本発明は、田畑や果樹園等の作物を食害する鳥類等の飛来を防ぐための鳥類飛来防止機に係るものである。
【背景技術】従来、田畑や果樹園等では、カカシを立てたり、リボンを張ったりして鳥類の飛来を防ごうとしていたが、どれも効果は少なかった。このため、例えば特開平５−１２３０９３号公報のような爆音で鳥類を追い払う鳥害防止装置もあるが、鳥によっては効果がなく、または慣れが生じてしまう。
【先行技術文献】
【特許文献】
【特許文献１】特開平５−１２３０９３号
【発明の概要】
【発明が解決しようとする課題】  このように、カカシを立てたり、リボンを張ったりして鳥類の飛来を防ごうとしていたが、どれも効果は少なかった。
また、特開平５−１２３０９３号公報のような爆音で鳥類を追い払う鳥害防止装置でも、鳥によっては効果がなく、または慣れが生じ、ましてや、その爆音は周辺住民が通常我慢できない音量であるために苦情が噴出する。
本発明は、以上の点を考えて創案されたものであり、爆音を出すことなく鳥類の飛来を防ぐことができる鳥類飛来防止機を提供することを目的とする。
【課題を解決するための手段】  上記の目的を達成するために、本発明の鳥類飛来防止機は、ひも状体を繋着した竿状の棒を適所に設けて、駆動部で旋回させるものである。
ここで、ひも状体を繋着した竿状の棒を駆動部で旋回させるので、鳥類の飛来を防ぐことができる。
【発明の効果】  本発明に係る鳥類飛来防止機は、鳥類の飛来を防ぐことができる。
【図面の簡単な説明】
【図１】本発明の鳥類飛来防止機の静止状態を示す正面参考図である。
【図２】本発明の鳥類飛来防止機の駆動状態を示す平面参考図である。
【図３】図１に示すＡ−Ａ部分拡大図である。
【図４】図１に示すＢ−Ｂ部分拡大図である。
【図５】図２に示すＣ−Ｄ部分拡大図である。
【発明を実施するための形態】
以下、本発明の実施の形態について図面を参照しながら説明し、本発明の理解に供する。
図１は、本発明の鳥類飛来防止機において静止状態を示す正面参考図である。
図２は、本発明の鳥類飛来防止機において旋回駆動状態を示す平面参考図である。
図１、図２において本発明の鳥類飛来防止機は、支柱３の上部に駆動部９を備え、該駆動部９には回転台１２にひも状体１１を繋着した竿状の棒１０と平衡器１３が固定されている。前記駆動部９は電気的に接続された制御部６のスイッチ７を「入り」にすることで旋回駆動を始めるので、前記回転台１２に固定された竿状の棒１０は矢印の時計回り１４に旋回すると同時に、平衡器１３も矢印の時計回り１５，１６に旋回する。
図２に示すように、本発明の鳥類飛来防止機１のひも状体１１がなびいているのは、旋回駆動状態を示す一例である。
以上のように、本発明の鳥類飛来防止機１はひも状体を繋着した竿状の棒１０を駆動部９で旋回させて、ひも状体１１をなびかせることができる。
従って、本発明の鳥類飛来防止機１は鳥類の飛来を防ぐことができる。
【符号の説明】  １  鳥類飛来防止機
２、３  支柱
４、５  支柱連結具
６  制御部
７  スイッチ
８  配線
９  駆動部
１０  竿状の棒
１１  ひも状体
１２  回転台
１３  平衡器
１４、１５，１６  時計回り
【図１】
2016013118.tif 000003
【図２】
2016013118.tif 000004
【図３】
2016013118.tif 000005
【図４】
2016013118.tif 000006
【図５】
2016013118.tif 000007
(57)【要約】【課題】容器内部が早く環境と同じ温度になることを可能とする容器を提供する。【解決手段】容器であって、容器の内側を滑らかに外側をひだ状又は多数の突起にし、表面積を大きくすることで熱伝導性をよくする。【選択図】図１
2016013866.tif 000002
【特許請求の範囲】
【請求項１】
容器であって、容器の内側は滑らかで外側がひだ状又は多数の突起であることを特徴とする容器。
【請求項２】
コップであって、口のあたる部分以外の外側がひだ状又は多数の突起であることを特徴とするコップ。
【発明の詳細な説明】
【技術分野】
【０００１】  本発明は、容器に関する。
【背景技術】
【０００２】  従来の容器は、耐熱性に関しては様々な工夫がされていたが、熱伝導性に関してはあまり注意されていなかった。
【先行技術文献】
【特許文献】
【０００３】
【特許文献１】特許公開２００４−１８９３１７
【発明の概要】
【発明が解決しようとする課題】
【０００４】  従来の容器は、耐熱性に関しては様々な工夫がされていたが、熱伝導性に関してはあまり注意されていなかった。しかし、例えば食品を入れた容器を冷蔵庫に格納した時、食品の温度が下がるまでにかかる時間は容器の熱伝導性に依る。熱伝導性の小さい容器だと温度が下がるまでに時間がかかり雑菌が繁殖する原因となりうる。熱伝導性を大きくするには容器の表面積を大きくすることが有効である。そのためには特許文献１のように容器の壁面をひだ状にすればよい。しかし、ひだ状にすると洗浄が十分にできず、不衛生となる問題がある。【０００５】  本発明の目的は、熱伝導性がよく且つ洗浄しやすい容器を提供することである。
【課題を解決するための手段】
【０００６】  上記目的を達成するために、請求項１にかかる発明は、容器の内側は滑らかで外側がひだ状又は多数の突起であることを特徴とする。【０００７】  請求項２にかかる発明は、コップであって、口のあたる部分以外の外側がひだ状又は多数の突起であることを特徴とする。
【発明の効果】
【０００８】  請求項１にかかる発明によれば、ひだにより表面積が大きくなっているので、例えば冷蔵庫に容器を入れてから容器から熱が逃げるのが促進され、内部の温度が下がるのにかかる時間を短縮することができる。また、容器の内側にはひだがなく滑らかなので容器の洗浄が容易である。【０００９】  請求項２にかかる発明によれば、猫舌の人が熱い飲み物を飲む場合放熱が早く、飲み物の温度が下がるのにかかる時間を短縮することができる。
【図面の簡単な説明】
【００１０】
【図１】本発明の第１の実施例の斜視図である。
【図２】本発明の第１の実施例の断面図である。
【図３】本発明の第２の実施例の斜視図である。
【発明を実施するための形態】
【００１１】＜第１の実施例＞
図１、図２に本発明の第１の実施例の容器の構成を示す。０１１は内側の壁面、０１２は外側の壁面である。内側の壁面０１１は滑らかである。外側の壁面０１２はひだ状となっている。図１ではひだの向きが縦となっているが、横でも斜めでもかまわない。またひだの代わりに多数の突起でもよい。
【００１２】  本容器は従来の容器に比べ表面積が大きくなる。そのため、熱伝導性が大きくなる。よって例えば冷蔵庫に格納した場合に容器内部の温度が下がる時間を短くすることができる。
【発明を実施するための形態】
【００１３】＜第２の実施例＞
図３に本発明の第２の実施例のコップの構成を示す。０２１はコップ本体、０２２はひだである。図３ではひだ０２２の向きが縦となっているが、横でも斜めでもかまわない。またひだの代わりに多数の突起でもよい。
【００１４】  本コップは従来のコップに比べ表面積が大きくなる。そのため、熱伝導性が大きくなる。よって例えば猫舌の人が熱い飲み物を飲む場合、温度が下がるまで待つ時間を短くすることができる。
【符号の説明】
【００１５】０１１：内側の壁面、０１２：外側の壁面
０２１：コップ本体、０２２：ひだ
【図１】
2016013866.tif 000003
【図２】
2016013866.tif 000004
【図３】
2016013866.tif 000005
(57)【要約】【課題】折りたたんだときに、ワイシャツ、ブラウス等のようなポケットから飛び出ない扇ぎ具を提供する事を目的とする。【解決手段】扇ぎ具１は、展開時に、下端側が把持され、上端側を揺動させる事で、風を起こす扇ぎ具であって、左端側から右端に折りたたみ可能であり、下端側から上端側に折りたたみ可能である。【選択図】図１
2016013312.tif 000002
【特許請求の範囲】
【請求項１】
展開時に、下端側が把持され、上端側を揺動させる事で、風を起こす扇ぎ具であって、
左端側から右端側に折りたたみ可能であり、
下端側から上端側に折りたたみ可能な扇ぎ具。
【発明の詳細な説明】
【技術分野】
【０００１】
本発明は、展開時に、下端側が把持され、上端側を揺動させる事で、風を起こす扇ぎ具に関する。
【背景技術】
【０００２】
日本の夏は非常に蒸し暑く、苦痛すら感じる事がある。最近では室内、車内は冷房が完備し、暑さを感じる事も無く快適であるが、ひとたび室外、車外に出ると強烈な暑さが襲ってくる。あるいは、室外、車外から室内、車内に入った直後、汗が噴き出ることがある。この様な時、古来より愛用されている扇子、うちわがあれば重宝である。しかし、通勤などの様に、出来るだけワイシャツ、ブラウスあるいはＴシャツ等の薄着で、手に何も持ちたくない場合、うちわは勿論、扇子すらたたんだ後の、その長さと、手で持つ事がネックとなり携帯される事がほとんどない。近年、うちわ、扇子をそのまま縮小した小型が発売されているが、小型だけに扇いだ時の風量が少なく、又手荷物にもなり、いかにも間に合わせ感を否めなくあまり普及していない。たとえば、特許文献１には登録実用新案第３１０７３１３号のうちわが開示されている。
【先行技術文献】
【特許文献】
【０００３】
【特許文献１】登録実用新案第３１０７３１３号公報
【発明の概要】
【発明が解決しようとする課題】
【０００４】
しかしながら、この様な従来のうちわでは、折りたたんだとしても、ワイシャツ、ブラウス等のようなポケットから飛び出てしまう。
【０００５】
そこで本発明は、折りたたんだときに、ワイシャツ、ブラウス等のようなポケットから飛び出ない扇ぎ具を提供する事を目的とする。           
【課題を解決するための手段】
【０００６】
本発明は、展開時に、下端側が把持され、上端側を揺動させる事で、風を起こす扇ぎ具であって、左端側から右端側に折りたたみ可能であり、下端側から上端側に折りたたみ可能な扇ぎ具、である。
【発明の効果】
【０００７】
折りたたんだときに、ワイシャツ、ブラウス等のようなポケットから飛び出ない扇ぎ具を提供できる。
【図面の簡単な説明】
【０００８】
【図１】本発明の実施形態に係る扇ぎ具１を展開した状態を示す図である。
【図２】本発明の実施形態に係る扇ぎ具１の折りたたみの手順を説明する図である。
【図３】本発明の実施形態に係る扇ぎ具１の折りたたみの手順を説明する図である。
【図４】本発明の実施形態に係る扇ぎ具１の折りたたみの手順を説明する図である。
【図５】本発明の実施形態に係る扇ぎ具１の折りたたみの手順を説明する図である。
【発明を実施するための形態】
【０００９】
本発明の実施形態に係る扇ぎ具１について、図１を参照して説明する。
図１は、本発明の実施形態に係る扇ぎ具１を展開した状態を示す図である。
本発明の実施形態に係る扇ぎ具１は、展開時に、下端側が把持され、上端側を揺動させる事で、風を起こす。
なお、本実施形態における「扇ぎ具」は、うちわで構成されているが、これに限らず、扇子等でもよい。
【００１０】
扇ぎ具１は、扇ぎ具１の中心又は中心近傍において左端から右端に延び、下端側から上端側に折りたたみ可能な水平方向谷折り線２と、下端から上端に延び、左右方向に所定間隔で配列され、左端側から右端側に折りたたみ可能な複数の垂直方向谷折り線３と、左右方向の一端近傍に設けられ、折りたたみ完了の状態を固定する爪４と、左右方向の他端近傍に設けられ、爪４と係合する切り込み５、とを有する。
【００１１】
次に、本発明の実施形態に係る扇ぎ具１の折りたたみの手順を、図２から図５を用いて説明する。
図２から図５は、本発明の実施形態に係る扇ぎ具１の折りたたみの手順を説明する図である。
まず、使用者は図１に示す状態から、水平方向谷折り線２を谷折りし、図２に示す状態とする。
次に、水平方向谷折り線２を谷折りし、図３、図４に示す状態とする。
更に、水平方向谷折り線２を谷折りし、折りたたみ完了の状態を固定する爪４を、切り込み５に、はめ込み、図５に示す状態とする。
図５は、折りたたみ完了の状態を示す。
通常はこの状態でワイシャツ、ブラウス等の胸ポケット等に収納される。
【符号の説明】
【００１２】
１    扇ぎ具
２    水平方向谷折り線
３    垂直方向谷折り線
４    爪
５    切り込み
【図１】
2016013312.tif 000003
【図２】
2016013312.tif 000004
【図３】
2016013312.tif 000005
【図４】
2016013312.tif 000006
【図５】
2016013312.tif 000007